【手続補正書】
【提出日】平成16年11月11日(2004.11.11)
【手続補正１】
【補正対象書類名】明細書
【補正対象項目名】発明の名称
【補正方法】変更
【補正の内容】
【発明の名称】印刷処理方法
【手続補正２】
【補正対象書類名】明細書
【補正対象項目名】特許請求の範囲
【補正方法】変更
【補正の内容】
【特許請求の範囲】
【請求項１】
情報端末装置と印刷装置とサーバー装置とがネットワークを介して接続された印刷システムによりコンテンツを印刷する印刷処理方法であって、
前記情報端末装置は、前記コンテンツの位置情報を前記印刷装置へ通知する通知ステップを有し、
前記印刷装置は、前記通知ステップにより通知されたコンテンツの位置情報を前記サーバー装置へ転送する転送ステップを有し、
前記サーバー装置は、前記転送ステップにより転送されたコンテンツの位置情報に基づき印刷用コンテンツデータを取得する印刷用コンテンツデータ取得ステップと、前記印刷用コンテンツデータ取得ステップにより取得された印刷用コンテンツデータをページ単位データに変換する変換ステップと、前記変換ステップにより変換されたページ単位データのインデックス情報を前記印刷装置へ送信する送信ステップとを有し、
前記印刷装置は、前記送信ステップにより送信されたインデックス情報に基づき前記サーバー装置からページ単位データを取得するページ単位データ取得ステップと、前記ページ単位データ取得ステップにより取得されたページ単位データを印刷するか否かを前記情報端末装置へ問い合わせる問い合わせステップと、前記問い合わせステップによる問い合せに対する前記情報端末装置からの応答に応じて前記ページ単位データを印刷処理する印刷処理ステップと
を備えたことを特徴とする印刷処理方法。
【請求項２】
前記印刷用コンテンツデータは、一つのインデックス情報と、一つ以上のページ単位データとを含むことを特徴とする請求項１に記載の印刷処理方法。
【請求項３】
前記印刷処理ステップでは、前記ページ単位データを解釈し、印刷用データに変換する処理を実行することを特徴とする請求項１に記載の印刷処理方法。
【請求項４】
前記ページ単位データは、eXtensible Markup Language（XML）によって記述されていることを特徴とする請求項１に記載の印刷処理方法。
【手続補正３】
【補正対象書類名】明細書
【補正対象項目名】０００１
【補正方法】変更
【補正の内容】
【０００１】
【発明の属する技術分野】
本発明は、情報端末装置、印刷装置及びサーバー装置とがネットワークを介して接続された印刷システムによりコンテンツを印刷する印刷処理方法に関する。
【手続補正４】
【補正対象書類名】明細書
【補正対象項目名】０００６
【補正方法】変更
【補正の内容】
【０００６】
本発明は、上述した従来技術の有する問題点を解消するためになされたもので、その目的は、情報端末装置により印刷ページ数を管理することができると共に、印刷途中での印刷保留や取り消しを行うことができるようにすることである。
【手続補正５】
【補正対象書類名】明細書
【補正対象項目名】０００７
【補正方法】変更
【補正の内容】
【０００７】
【課題を解決するための手段】
上記目的を達成するために本発明の請求項１に記載の印刷処理方法は、情報端末装置と印刷装置とサーバー装置とがネットワークを介して接続された印刷システムによりコンテンツを印刷する印刷処理方法であって、前記情報端末装置は、前記コンテンツの位置情報を前記印刷装置へ通知する通知ステップを有し、前記印刷装置は、前記通知ステップにより通知されたコンテンツの位置情報を前記サーバー装置へ転送する転送ステップを有し、前記サーバー装置は、前記転送ステップにより転送されたコンテンツの位置情報に基づき印刷用コンテンツデータを取得する印刷用コンテンツデータ取得ステップと、前記印刷用コンテンツデータ取得ステップにより取得された印刷用コンテンツデータをページ単位データに変換する変換ステップと、前記変換ステップにより変換されたページ単位データのインデックス情報を前記印刷装置へ送信する送信ステップとを有し、前記印刷装置は、前記送信ステップにより送信されたインデックス情報に基づき前記サーバー装置からページ単位データを取得するページ単位データ取得ステップと、前記ページ単位データ取得ステップにより取得されたページ単位データを印刷するか否かを前記情報端末装置へ問い合わせる問い合わせステップと、前記問い合わせステップによる問い合せに対する前記情報端末装置からの応答に応じて前記ページ単位データを印刷処理する印刷処理ステップとを備えたことを特徴とする。
【手続補正６】
【補正対象書類名】明細書
【補正対象項目名】０００８
【補正方法】変更
【補正の内容】
【０００８】
また、上記目的を達成するために本発明の請求項２に記載の印刷処理方法は、請求項１に記載の印刷処理方法において、前記印刷用コンテンツデータは、一つのインデックス情報と、一つ以上のページ単位データとを含むことを特徴とする。
【手続補正７】
【補正対象書類名】明細書
【補正対象項目名】０００９
【補正方法】変更
【補正の内容】
【０００９】
また、上記目的を達成するために本発明の請求項３に記載の印刷処理方法は、請求項１に記載の印刷処理方法において、前記印刷処理ステップでは、前記ページ単位データを解釈し、印刷用データに変換する処理を実行することを特徴とする。
【手続補正８】
【補正対象書類名】明細書
【補正対象項目名】００１０
【補正方法】変更
【補正の内容】
【００１０】
また、上記目的を達成するために本発明の請求項４に記載の印刷処理方法は、請求項１に記載の印刷処理方法において、前記ページ単位データは、eXtensible Markup Language（XML）によって記述されていることを特徴とする。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４２
【補正方法】削除
【補正の内容】
【手続補正４１】
【補正対象書類名】明細書
【補正対象項目名】００４３
【補正方法】削除
【補正の内容】
【手続補正４２】
【補正対象書類名】明細書
【補正対象項目名】００４４
【補正方法】削除
【補正の内容】
【手続補正４３】
【補正対象書類名】明細書
【補正対象項目名】００４５
【補正方法】削除
【補正の内容】
【手続補正４４】
【補正対象書類名】明細書
【補正対象項目名】００４６
【補正方法】削除
【補正の内容】
【手続補正４５】
【補正対象書類名】明細書
【補正対象項目名】００４７
【補正方法】削除
【補正の内容】
【手続補正４６】
【補正対象書類名】明細書
【補正対象項目名】００４８
【補正方法】削除
【補正の内容】
【手続補正４７】
【補正対象書類名】明細書
【補正対象項目名】００４９
【補正方法】削除
【補正の内容】
【手続補正４８】
【補正対象書類名】明細書
【補正対象項目名】００５０
【補正方法】削除
【補正の内容】
【手続補正４９】
【補正対象書類名】明細書
【補正対象項目名】００５１
【補正方法】削除
【補正の内容】
【手続補正５０】
【補正対象書類名】明細書
【補正対象項目名】００５２
【補正方法】削除
【補正の内容】
【手続補正５１】
【補正対象書類名】明細書
【補正対象項目名】００５３
【補正方法】削除
【補正の内容】
【手続補正５２】
【補正対象書類名】明細書
【補正対象項目名】００５４
【補正方法】削除
【補正の内容】
【手続補正５３】
【補正対象書類名】明細書
【補正対象項目名】００５５
【補正方法】削除
【補正の内容】
【手続補正５４】
【補正対象書類名】明細書
【補正対象項目名】００５６
【補正方法】削除
【補正の内容】
【手続補正５５】
【補正対象書類名】明細書
【補正対象項目名】００５７
【補正方法】削除
【補正の内容】
【手続補正５６】
【補正対象書類名】明細書
【補正対象項目名】００５８
【補正方法】削除
【補正の内容】
【手続補正５７】
【補正対象書類名】明細書
【補正対象項目名】０１１６
【補正方法】変更
【補正の内容】
【０１１６】
【発明の効果】
本発明によれば、情報端末装置より印刷ページ数を管理することが可能となる。また、印刷途中での印刷保留や取り消しを行うことが可能となる。
【手続補正５８】
【補正対象書類名】図面
【補正対象項目名】図６
【補正方法】変更
【補正の内容】
【図６】
2003167693.tif 000001
【手続補正５９】
【補正対象書類名】図面
【補正対象項目名】図７
【補正方法】変更
【補正の内容】
【図７】
2003167693.tif 000002